【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
光加入者線終端装置からのレポートに対してグラントを送出する光加入者線端局装置であって、
前記光加入者線終端装置からのデータおよびレポートを受信するための第１の受信手段と、
前記第１の受信手段によって受信されたデータを上位ネットワークに送出するための第１の送信手段と、
前記第１の受信手段によって受信されたレポートに含まれる各キューのキュー長の要求量および各キューの帯域区分に応じて各キューの最大送出許可量を算出し、算出された最大送出許可量を含むグラントを生成し、次周期に前記第１の受信手段によって受信されたレポートに含まれる各キューの送出要求量に対して各キューの送出許可量が前記各キューの最大送出許可量以下となるようにグラントを生成するための生成手段と、
前記上位ネットワークからデータを受信するための第２の受信手段と、
前記第２の受信手段によって受信されたデータおよび前記生成手段によって生成されたグラントを記憶するための記憶手段と、
前記記憶手段によって記憶されたデータおよびグラントを前記光加入者線終端装置に送出するための第２の送信手段とを含む、光加入者線端局装置。
【請求項２】
光加入者線終端装置からのレポートに対してグラントを送出する光加入者線端局装置であって、
前記光加入者線終端装置からのデータおよびレポートを受信するための第１の受信手段と、
前記第１の受信手段によって受信されたデータを上位ネットワークに送出するための第１の送信手段と、
前記第１の受信手段によって受信されたレポートに含まれる各キューのキュー長の要求量および各キューの帯域区分に応じて各キューの最大送出許可量を算出し、算出された最大送出許可量を光加入者線終端装置に通知し、次周期に前記第１の受信手段によって受信されたレポートに含まれる各キューの送出要求量に対して各キューの送出許可量が前記各キューの最大送出許可量以下となるようにグラントを生成するための生成手段と、
前記上位ネットワークからデータを受信するための第２の受信手段と、
前記第２の受信手段によって受信されたデータおよび前記生成手段によって生成されたグラントを記憶するための記憶手段と、
前記記憶手段によって記憶されたデータおよびグラントを前記光加入者線終端装置に送出するための第２の送信手段とを含む、光加入者線端局装置。
【請求項３】
前記生成手段は、前記第１の受信手段によって受信されたレポートに含まれる各キューのキュー長の要求量を参照して前記光加入者線終端装置の各キューがアクティブであるか否かを判定し、各キューがアクティブであるか否かの情報および各キューの帯域区分に応じて各キューの最大送出許可量を算出し、算出された最大送出許可量を光加入者線終端装置に通知し、次周期に前記第１の受信手段によって受信されたレポートに含まれる各キューの送出要求量に対して各キューの送出許可量が前記各キューの最大送出許可量以下となるようにグラントを生成する、請求項１または２記載の光加入者線端局装置。
【請求項４】
前記生成手段は、Ｆｉｘｅｄのキューに対して、グラント周期毎に到着予定データ量から送出要求量を減算した値を最大送出許可量とし、データ到着間隔が経過した時点で再度到着予定データ量を最大送出許可量とする、請求項１〜３のいずれかに記載の光加入者線端局装置。
【請求項５】
前記生成手段は、ＡｓｓｕｒｅｄおよびＮｏｎ−Ａｓｓｕｒｅｄのキューに対して、複数のグラント周期に１回だけ最大送出許可量を与える、請求項１〜４のいずれかに記載の光加入者線端局装置。
【請求項６】
前記生成手段は、各光加入者線終端装置からの最大割当値で抑えられた送出要求量の合計値が、Ｂｅｓｔ−Ｅｆｆｏｒｔに割当てることができる帯域以上であれば、送出要求量が小さい順番に並べ替え、
Ｂｅｓｔ−Ｅｆｆｏｒｔに割当てることができる帯域を、未だクレジットを割当てていない光加入者線終端装置の台数で割った平均値よりも前記最大割当値で抑えられた送出要求量が小さい場合には、当該最大割当値で抑えられた送出要求量を最大送出許可量とし、Ｂｅｓｔ−Ｅｆｆｏｒｔに割当てることができる帯域から当該最大割当値で抑えられた送出要求量を減算し、
Ｂｅｓｔ−Ｅｆｆｏｒｔに割当てることができる帯域を、未だクレジットを割当てていない光加入者線終端装置の台数で割った平均値よりも前記最大割当値で抑えられた送出要求量が大きい場合には、当該平均値を最大送出許可量とし、Ｂｅｓｔ−Ｅｆｆｏｒｔに割当てることができる帯域から当該平均値を減算する、請求項１〜５のいずれかに記載の光加入者線端局装置。
【請求項７】
前記生成手段は、各光加入者線終端装置からの最大割当値で抑えられた送出要求量の合計値が、Ｂｅｓｔ−Ｅｆｆｏｒｔに割当てることができる帯域以上であれば、ポインタが指し示す光加入者線終端装置から順に、Ｂｅｓｔ−Ｅｆｆｏｒｔに割当てることができる帯域を超えない範囲で最大割当値で抑えられた送出要求量を最大送出許可量とし、Ｂｅｓｔ−Ｅｆｆｏｒｔに割当てることができる帯域から当該最大割当値で抑えられた送出要求量を減算する、請求項１〜５のいずれかに記載の光加入者線端局装置。
【請求項８】
前記生成手段は、各光加入者線終端装置からの最大割当値で抑えられた送出要求量の合計値が、Ｂｅｓｔ−Ｅｆｆｏｒｔに割当てることができる帯域以上であり、かつ各光加入者線終端装置からの最大送出許可量で抑えされた送出要求量の合計が、Ｂｅｓｔ−Ｅｆｆｏｒｔに割当てることができる帯域以上であれば、ポインタが指し示す光加入者線終端装置から順に、Ｂｅｓｔ−Ｅｆｆｏｒｔに割当てることができる帯域を超えない範囲で最大割当値で抑えられた送出要求量を送出許可量とし、Ｂｅｓｔ−Ｅｆｆｏｒｔに割当てることができる帯域から当該最大割当値で抑えられた送出要求量を減算する、請求項１〜５のいずれかに記載の光加入者線端局装置。
【請求項９】
前記生成手段は、各光加入者線終端装置からの最大割当値で抑えられた送出要求量の合計値が、Ｂｅｓｔ−Ｅｆｆｏｒｔに割当てることができる帯域以上であり、かつ各光加入者線終端装置からの最大送出許可量で抑えされた送出要求量の合計が、Ｂｅｓｔ−Ｅｆｆｏｒｔに割当てることができる帯域以下であれば、所定の光加入者線終端装置に対して、最大割当値で抑えられた送出要求量を送出許可量とした後、他の光加入者線終端装置に対して、最大送出許可量で抑えられた送出要求量を送出許可量とする、請求項１〜５のいずれかに記載の光加入者線端局装置。
【請求項１０】
前記最大送出許可量は、マルチポイント・コントロール・プロトコル  レジスタフレームを用いて通知される、請求項１〜９のいずれかに記載の光加入者線端局装置。
【請求項１１】
前記最大送出許可量は、オペレーションズ，アドミニストレーション，アンド  メンテナンス  フレームを用いて通知される、請求項１〜９のいずれかに記載の光加入者線端局装置。
【請求項１２】
前記最大送出許可量は、シンプル・ネットワーク・マネジメント・プロトコル  オーバ  ユーザ・データグラム・プロトコル／インターネット・プロトコル  パケットを用いて通知される、請求項１〜９のいずれかに記載の光加入者線端局装置。
【請求項１３】
前記最大送出許可量は、シンプル・ネットワーク・マネジメント・プロトコル  オーバ  イーサネット（登録商標）パケットを用いて通知される、請求項１〜９のいずれかに記載の光加入者線端局装置。
【請求項１４】
前記最大送出許可量は、コモン・マネジメント・インフォメーション・プロトコル  パケットを用いて通知される、請求項１〜９のいずれかに記載の光加入者線端局装置。
【請求項１５】
前記最大送出許可量は、ローカル・エリア・ネットワーク／メトロポリタン・エリア・ネットワーク管理フレームを用いて通知される、請求項１〜９のいずれかに記載の光加入者線端局装置。
【請求項１６】
光加入者線端局装置からのグラントに応じてレポートを送出する光加入者線終端装置であって、
前記光加入者線端局装置からのデータおよびグラントを受信するための第１の受信手段と、
前記第１の受信手段によって受信されたデータを下位ネットワークに送出するための第１の送信手段と、
各キューのキュー長の要求量を算出し、前記第１の受信手段によって受信された最大送出許可量に応じて送出要求量を決定し、前記各キューのキュー長の要求量および前記送出要求量を含んだレポートを生成するための生成手段と、
前記下位ネットワークからデータを受信するための第２の受信手段と、
前記第２の受信手段によって受信されたデータおよび前記生成手段によって生成されたレポートを記憶するための記憶手段と、
前記記憶手段によって記憶されたデータおよびレポートを前記光加入者線端局装置に送出するための第２の送信手段とを含む、光加入者線終端装置。
【請求項１７】
光加入者線終端装置からのレポートに対して光加入者線端局装置がグラントを送出する帯域割当方法であって、
前記光加入者線端局装置が、前記光加入者線終端装置から受信したレポートに含まれる各キューのキュー長の要求量および各キューの帯域区分に応じて各キューの最大送出許可量を算出するステップと、
前記光加入者線端局装置が、前記各キューの送出要求量に対して各キューの送出許可量が前記各キューの最大送出許可量以下となるようにグラントを生成して前記光加入者線終端装置に送信するステップとを含む、帯域割当方法。
【手続補正２】
【補正対象書類名】明細書
【補正対象項目名】００３１
【補正方法】変更
【補正の内容】
【００３１】
生成手段は、第１の受信手段によって受信されたレポートに含まれる各キューのキュー長の要求量および各キューの帯域区分に応じて各キューの最大送出許可量を算出するので、各キューに対する帯域割当を帯域区分に応じて行うことが可能となり、最大送出許可量をグラントを用いて通知するので次周期に受信するレポートに含まれる送出要求量を抑えることが可能となる。
請求項２に記載の光加入者線端局装置は、光加入者線終端装置からのレポートに対してグラントを送出する光加入者線端局装置であって、光加入者線終端装置からのデータおよびレポートを受信するための第１の受信手段と、第１の受信手段によって受信されたデータを上位ネットワークに送出するための第１の送信手段と、第１の受信手段によって受信されたレポートに含まれる各キューのキュー長の要求量および各キューの帯域区分に応じて各キューの最大送出許可量を算出し、算出された最大送出許可量を光加入者線終端装置に通知し、次周期に第１の受信手段によって受信されたレポートに含まれる各キューの送出要求量に対して各キューの送出許可量が各キューの最大送出許可量以下となるようにグラントを生成するための生成手段と、上位ネットワークからデータを受信するための第２の受信手段と、第２の受信手段によって受信されたデータおよび生成手段によって生成されたグラントを記憶するための記憶手段と、記憶手段によって記憶されたデータおよびグラントを光加入者線終端装置に送出するための第２の送信手段とを含む。
【手続補正３】
【補正対象書類名】明細書
【補正対象項目名】００３２
【補正方法】変更
【補正の内容】
【００３２】
請求項３に記載の光加入者線端局装置は、請求項１または２記載の光加入者線端局装置であって、生成手段は、第１の受信手段によって受信されたレポートに含まれる各キューのキュー長の要求量を参照して光加入者線終端装置の各キューがアクティブであるか否かを判定し、各キューがアクティブであるか否かの情報および各キューの帯域区分に応じて各キューの最大送出許可量を算出し、算出された最大送出許可量を光加入者線終端装置に通知し、次周期に第１の受信手段によって受信されたレポートに含まれる各キューの送出要求量に対して各キューの送出許可量が各キューの最大送出許可量以下となるようにグラントを生成する。
【手続補正４】
【補正対象書類名】明細書
【補正対象項目名】００３４
【補正方法】変更
【補正の内容】
【００３４】
請求項４に記載の光加入者線端局装置は、請求項１〜３のいずれかに記載の光加入者線端局装置であって、生成手段は、Ｆｉｘｅｄのキューに対して、グラント周期毎に到着予定データ量から送出要求量を減算した値を最大送出許可量とし、データ到着間隔が経過した時点で再度到着予定データ量を最大送出許可量とする。
【手続補正５】
【補正対象書類名】明細書
【補正対象項目名】００３６
【補正方法】変更
【補正の内容】
【００３６】
請求項５に記載の光加入者線端局装置は、請求項１〜４のいずれかに記載の光加入者線端局装置であって、生成手段は、ＡｓｓｕｒｅｄおよびＮｏｎ−Ａｓｓｕｒｅｄのキューに対して、複数のグラント周期に１回だけ最大送出許可量を与える。
【手続補正６】
【補正対象書類名】明細書
【補正対象項目名】００３８
【補正方法】変更
【補正の内容】
【００３８】
請求項６に記載の光加入者線端局装置は、請求項１〜５のいずれかに記載の光加入者線端局装置であって、生成手段は、各光加入者線終端装置からの最大割当値で抑えられた送出要求量の合計値が、Ｂｅｓｔ−Ｅｆｆｏｒｔに割当てることができる帯域以上であれば、送出要求量が小さい順番に並べ替え、Ｂｅｓｔ−Ｅｆｆｏｒｔに割当てることができる帯域を、未だクレジットを割当てていない光加入者線終端装置の台数で割った平均値よりも最大割当値で抑えられた送出要求量が小さい場合には、当該最大割当値で抑えられた送出要求量を最大送出許可量とし、Ｂｅｓｔ−Ｅｆｆｏｒｔに割当てることができる帯域から当該最大割当値で抑えられた送出要求量を減算し、Ｂｅｓｔ−Ｅｆｆｏｒｔに割当てることができる帯域を、未だクレジットを割当てていない光加入者線終端装置の台数で割った平均値よりも最大割当値で抑えられた送出要求量が大きい場合には、当該平均値を最大送出許可量とし、Ｂｅｓｔ−Ｅｆｆｏｒｔに割当てることができる帯域から当該平均値を減算する。
【手続補正７】
【補正対象書類名】明細書
【補正対象項目名】００４０
【補正方法】変更
【補正の内容】
【００４０】
請求項７に記載の光加入者線端局装置は、請求項１〜５のいずれかに記載の光加入者線端局装置であって、生成手段は、各光加入者線終端装置からの最大割当値で抑えられた送出要求量の合計値が、Ｂｅｓｔ−Ｅｆｆｏｒｔに割当てることができる帯域以上であれば、ポインタが指し示す光加入者線終端装置から順に、Ｂｅｓｔ−Ｅｆｆｏｒｔに割当てることができる帯域を超えない範囲で最大割当値で抑えられた送出要求量を最大送出許可量とし、Ｂｅｓｔ−Ｅｆｆｏｒｔに割当てることができる帯域から当該最大割当値で抑えられた送出要求量を減算する。
【手続補正８】
【補正対象書類名】明細書
【補正対象項目名】００４２
【補正方法】変更
【補正の内容】
【００４２】
請求項８に記載の光加入者線端局装置は、請求項１〜５のいずれかに記載の光加入者線端局装置であって、生成手段は、各光加入者線終端装置からの最大割当値で抑えられた送出要求量の合計値が、Ｂｅｓｔ−Ｅｆｆｏｒｔに割当てることができる帯域以上であり、かつ各光加入者線終端装置からの最大送出許可量で抑えられた送出要求量の合計が、Ｂｅｓｔ−Ｅｆｆｏｒｔに割当てることができる帯域以上であれば、ポインタが指し示す光加入者線終端装置から順に、Ｂｅｓｔ−Ｅｆｆｏｒｔに割当てることができる帯域を超えない範囲で最大割当値で抑えられた送出要求量を送出許可量とし、Ｂｅｓｔ−Ｅｆｆｏｒｔに割当てることができる帯域から当該最大割当値で抑えられた送出要求量を減算する。
【手続補正９】
【補正対象書類名】明細書
【補正対象項目名】００４４
【補正方法】変更
【補正の内容】
【００４４】
請求項９に記載の光加入者線端局装置は、請求項１〜５のいずれかに記載の光加入者線端局装置であって、生成手段は、各光加入者線終端装置からの最大割当値で抑えられた送出要求量の合計値が、Ｂｅｓｔ−Ｅｆｆｏｒｔに割当てることができる帯域以上であり、かつ各光加入者線終端装置からの最大送出許可量で抑えされた送出要求量の合計が、Ｂｅｓｔ−Ｅｆｆｏｒｔに割当てることができる帯域以下であれば、所定の光加入者線終端装置に対して、最大割当値で抑えられた送出要求量を送出許可量とした後、他の光加入者線終端装置に対して、最大送出許可量で抑えられた送出要求量を送出許可量とする。
【手続補正１０】
【補正対象書類名】明細書
【補正対象項目名】００４６
【補正方法】変更
【補正の内容】
【００４６】
請求項１０に記載の光加入者線端局装置は、請求項１〜９のいずれかに記載の光加入者線端局装置であって、最大送出許可量は、マルチポイント・コントロール・プロトコル  レジスタフレームを用いて通知される。
【手続補正１１】
【補正対象書類名】明細書
【補正対象項目名】００４８
【補正方法】変更
【補正の内容】
【００４８】
請求項１１に記載の光加入者線端局装置は、請求項１〜９のいずれかに記載の光加入者線端局装置であって、最大送出許可量は、オペレーションズ，アドミニストレーション，アンド  メンテナンス  フレームを用いて通知される。
【手続補正１２】
【補正対象書類名】明細書
【補正対象項目名】００５０
【補正方法】変更
【補正の内容】
【００５０】
請求項１２に記載の光加入者線端局装置は、請求項１〜９のいずれかに記載の光加入者線端局装置であって、最大送出許可量は、シンプル・ネットワーク・マネジメント・プロトコル  オーバ  ユーザ・データグラム・プロトコル／インターネット・プロトコル  パケットを用いて通知される。
【手続補正１３】
【補正対象書類名】明細書
【補正対象項目名】００５２
【補正方法】変更
【補正の内容】
【００５２】
請求項１３に記載の光加入者線端局装置は、請求項１〜９のいずれかに記載の光加入者線端局装置であって、最大送出許可量は、シンプル・ネットワーク・マネジメント・プロトコル  オーバ  イーサネット（登録商標）パケットを用いて通知される。
【手続補正１４】
【補正対象書類名】明細書
【補正対象項目名】００５４
【補正方法】変更
【補正の内容】
【００５４】
請求項１４に記載の光加入者線端局装置は、請求項１〜９のいずれかに記載の光加入者線端局装置であって、最大送出許可量は、コモン・マネジメント・インフォメーション・プロトコル  パケットを用いて通知される。
【手続補正１５】
【補正対象書類名】明細書
【補正対象項目名】００５６
【補正方法】変更
【補正の内容】
【００５６】
請求項１５に記載の光加入者線端局装置は、請求項１〜９のいずれかに記載の光加入者線端局装置であって、最大送出許可量は、ローカル・エリア・ネットワーク／メトロポリタン・エリア・ネットワーク管理フレームを用いて通知される。
【手続補正１６】
【補正対象書類名】明細書
【補正対象項目名】００５８
【補正方法】変更
【補正の内容】
【００５８】
請求項１６に記載の光加入者線終端装置は、光加入者線端局装置からのグラントに応じてレポートを送出する光加入者線終端装置であって、光加入者線端局装置からのデータおよびグラントを受信するための第１の受信手段と、第１の受信手段によって受信されたデータを下位ネットワークに送出するための第１の送信手段と、各キューのキュー長の要求量を算出し、第１の受信手段によって受信された最大送出許可量に応じて送出要求量を決定し、各キューのキュー長の要求量および送出要求量を含んだレポートを生成するための生成手段と、下位ネットワークからデータを受信するための第２の受信手段と、第２の受信手段によって受信されたデータおよび生成手段によって生成されたレポートを記憶するための記憶手段と、記憶手段によって記憶されたデータおよびレポートを光加入者線端局装置に送出するための第２の送信手段とを含む。
【手続補正１７】
【補正対象書類名】明細書
【補正対象項目名】００６０
【補正方法】変更
【補正の内容】
【００６０】
請求項１７に記載の帯域割当方法は、光加入者線終端装置からのレポートに対して光加入者線端局装置がグラントを送出する帯域割当方法であって、光加入者線端局装置が、光加入者線終端装置から受信したレポートに含まれる各キューのキュー長の要求量および各キューの帯域区分に応じて各キューの最大送出許可量を算出するステップと、光加入者線端局装置が、各キューの送出要求量に対して各キューの送出許可量が各キューの最大送出許可量以下となるようにグラントを生成して光加入者線終端装置に送信するステップとを含む。